(57)【要約】【課題】ポンプ設備の容量を有効に利用して、ポンプの起動、停止を制御して運転することにより消費電力量を効果的に抑制することが可能なマンホールポンプシステムを提供する。【解決手段】貯水槽の水位が起動水位になるとポンプを起動し、その後停止水位になるとポンプを停止するポンプ制御装置を備えた複数のマンホールポンプ装置により汚水を下水処理施設に搬送するマンホールポンプシステムであって、各ポンプ制御装置は、停止水位として、第１停止水位と、ポンプの単位送水量当たりの消費電力量に基づいて第１停止水位を基準にして起動水位側に設定された第２停止水位が設定可能に構成され、貯水槽に対する所定時間当たりの流入水量または流出水量を指標にして、第１停止水位と第２停止水位の何れか一方を停止水位に設定するように構成されている。【選択図】図３
2019113005.tif 000002
【特許請求の範囲】
【請求項１】
水位計で検出された貯水槽の水位が起動水位になるとポンプを起動し、その後停止水位になると前記ポンプを停止するポンプ制御装置を備えた複数のマンホールポンプ装置により汚水を下水処理施設に搬送するマンホールポンプシステムであって、
各ポンプ制御装置は、前記停止水位として、第１停止水位と、前記ポンプの単位送水量当たりの消費電力量に基づいて前記第１停止水位を基準にして前記起動水位側に設定された第２停止水位が設定可能に構成され、
前記貯水槽に対する所定時間当たりの流入水量または流出水量を指標にして、前記第１停止水位と前記第２停止水位の何れか一方を前記停止水位に設定するように構成されているマンホールポンプシステム。
【請求項２】
水位計で検出された貯水槽の水位が起動水位になるとポンプを起動し、その後停止水位になると前記ポンプを停止するポンプ制御装置を備えた複数のマンホールポンプ装置により汚水を下水処理施設に搬送するマンホールポンプシステムであって、
各ポンプ制御装置は、前記停止水位として、第１停止水位と、前記ポンプの単位送水量当たりの消費電力量に基づいて前記第１停止水位を基準にして前記起動水位側に設定された第２停止水位が設定可能に構成され、
前記ポンプの所定時間当たりの起動頻度を指標にして、前記第１停止水位と前記第２停止水位の何れか一方を前記停止水位に設定するように構成されているマンホールポンプシステム。
【請求項３】
汚水の搬送経路に沿って隣接配置されたマンホールポンプ装置間で、下流側のマンホールポンプ装置の第２停止水位と起動水位との間の貯水容量が、上流側のマンホールポンプ装置の第２停止水位と起動水位との間の貯水容量以下となるように、下流側のマンホールポンプ装置の第２停止水位が設定されている請求項１または２記載のマンホールポンプシステム。
【請求項４】
各ポンプ制御装置は、ポンプの起動頻度が予め設定された起動頻度よりも高くなると、前記第２停止水位を低位に変更設定するように構成されている請求項１から３の何れかに記載のマンホールポンプシステム。
【請求項５】
汚水の搬送経路に沿って下流側に設置されたマンホールポンプ装置のポンプ制御装置は、前記貯水槽の水位が起動水位になると上流側のマンホールポンプ装置のポンプ制御装置に起動指令を出力し、上流側のマンホールポンプ装置のポンプが起動されたことを確認した後にポンプを起動するように構成されている請求項１から４の何れかに記載のマンホールポンプシステム。
【請求項６】
汚水の搬送経路に沿って下流側に設置されたマンホールポンプ装置のポンプ制御装置は、上流側のマンホールポンプ装置のポンプ制御装置に起動指令を出力した後、所定時間が経過すると上流側のマンホールポンプ装置のポンプの起動を確認することなくポンプを起動するように構成されている請求項５記載のマンホールポンプシステム。
【請求項７】
汚水の搬送経路に沿って下流側に設置されたマンホールポンプ装置のポンプ制御装置は、前記貯水槽の水位が起動水位になると所定時間が経過した後にポンプを起動するように構成されている請求項１から４の何れかに記載のマンホールポンプシステム。
【請求項８】
前記ポンプ制御装置は、貯水槽の水位が起動水位になり、前記指標に基づいて前記停止水位を前記第２停止水位に設定されていても所定の条件を満たすと、前記指標にかかわらず前記停止水位を前記第１停止水位に設定するスカム排出制御を実行するように構成されている請求項１から７の何れかに記載のマンホールポンプシステム。
【請求項９】
前記所定の条件が時刻情報であり、汚水の搬送経路に沿って下流側のマンホールポンプ装置ほど遅い時刻に設定されている請求項８記載のマンホールポンプシステム。
【請求項１０】
前記所定の条件が上流側のマンホールポンプ設備のポンプ制御装置から送信されるスカム排出指令の確認である請求項８記載のマンホールポンプシステム。
【発明の詳細な説明】
【技術分野】
【０００１】
本発明は、マンホールポンプシステムに関する。
【背景技術】
【０００２】
汚水を下水処理施設に搬送するマンホールポンプシステムは、汚水搬送経路に沿って複数のマンホールポンプ装置が設置されている。マンホールポンプ装置は、汚水搬送管の端部の流入管から流入した汚水を貯留するマンホールと、マンホールに貯留された汚水を流出管に圧送する水中ポンプと、マンホールに貯留された汚水の水位を計測する水位センサを備えている。
【０００３】
このようなマンホールポンプ装置には、水位センサで計測された水位が所定のポンプ起動水位に達すると水中ポンプを起動し、ポンプ起動水位より低位のポンプ停止水位に達すると水中ポンプを停止する制御部を備えている。
【０００４】
マンホールに設置される水中ポンプは、汚水の最大流入量を排水することを目的とするため、容量の大きな型式のものが選定されるため、ポンプ性能曲線上で高揚程且つ小水量で運転される場合もある。
【０００５】
ポンプ起動水位で起動された水中ポンプにより、汚水が流出管に圧送されて水位が低下するにつれて圧送する揚程が高くなり、圧送される水量が低下する。つまり、一定に定まったポンプ停止水位に近づくにつれ、次第に効率が悪く高揚程かつ小水量の領域での運転に移行する。
【先行技術文献】
【特許文献】
【０００６】
【特許文献１】特開２００６−０５７５６７号公報
【発明の概要】
【発明が解決しようとする課題】
【０００７】
マンホールポンプ装置等の排水設備は、予め設定された計画排水量等に基づいて設計されているため、人口密度等が予め想定された規模に到るまでの中途段階では、実際の排水量が計画排水量よりも少ない状況が生じ、そのような状況で常に一定に定まったポンプ停止水位まで圧送すると、効率が悪く揚程の高い領域を含めた運転となり、単位送水量当たりの消費電力量が嵩むという問題があった。
【０００８】
また、人口密度等が予め想定された規模に到った後に、人口減少等によって実際の排水量が計画排水量よりも少ない状況が生じる場合もあり、そのような場合にも常に一定に定まったポンプ停止水位まで圧送すると、単位送水量当たりの消費電力量が嵩むという問題があった。
【０００９】
本発明の目的は、上述した問題に鑑み、ポンプ設備の容量を有効に利用して、ポンプの起動、停止を制御して運転することにより消費電力量を効果的に抑制することが可能なマンホールポンプシステムを提供する点にある。
【課題を解決するための手段】
【００１０】
上述の目的を達成するため、本発明によるマンホールポンプシステムの第一の特徴構成は、特許請求の範囲の書類の請求項１に記載した通り、水位計で検出された貯水槽の水位が起動水位になるとポンプを起動し、その後停止水位になると前記ポンプを停止するポンプ制御装置を備えた複数のマンホールポンプ装置により汚水を下水処理施設に搬送するマンホールポンプシステムであって、各ポンプ制御装置は、前記停止水位として、第１停止水位と、前記ポンプの単位送水量当たりの消費電力量に基づいて前記第１停止水位を基準にして前記起動水位側に設定された第２停止水位が設定可能に構成され、前記貯水槽に対する所定時間当たりの流入水量または流出水量を指標にして、前記第１停止水位と前記第２停止水位の何れか一方を前記停止水位に設定するように構成されている点にある。
【００１１】
汚水を下水処理施設に搬送する経路に沿って配された各マンホールへの流入水量または流出水量の増減には相関があり、上流側で生じる汚水の増減傾向が下流側に伝達される。例えば、各貯水槽に対する所定時間当たりの流入水量または流出水量が多い場合には、第１停止水位を停止水位に設定して各ポンプを駆動することにより、頻繁なポンプ起動の発生を回避することができ、各貯水槽に対する所定時間当たりの流入水量または流出水量が少ない場合には、第１停止水位を基準にして起動水位側に設定された第２停止水位を停止水位に設定して各ポンプを駆動し、単位送水量当たりの消費電力量の低い領域で運転することができる。このようにしてシステム全体として消費電力を効果的に抑制することができるようになる。
【００１２】
同第二の特徴構成は、同請求項２に記載した通り、水位計で検出された貯水槽の水位が起動水位になるとポンプを起動し、その後停止水位になると前記ポンプを停止するポンプ制御装置を備えた複数のマンホールポンプ装置により汚水を下水処理施設に搬送するマンホールポンプシステムであって、各ポンプ制御装置は、前記停止水位として、第１停止水位と、前記ポンプの単位送水量当たりの消費電力量に基づいて前記第１停止水位を基準にして前記起動水位側に設定された第２停止水位が設定可能に構成され、前記ポンプの所定時間当たりの起動頻度を指標にして、前記第１停止水位と前記第２停止水位の何れか一方を前記停止水位に設定するように構成されている点にある。
【００１３】
貯水設備に設けられるポンプは、所定時間における最大起動頻度が定められている。しかし、貯水槽に対する流入水量あるいは流出水量が最大となる場合以外は起動頻度に余裕がある。そこで、所定時間当たりの起動頻度に基づいて、第１停止水位を基準にして起動水位側に設定された第２停止水位を停止水位に設定してポンプを駆動し、単位送水量当たりの消費電力量の低い領域で運転することにより消費電力を抑制することができるようになる。
【００１４】
同第三の特徴構成は、同請求項３に記載した通り、上述の第一または第二の特徴構成に加えて、汚水の搬送経路に沿って隣接配置されたマンホールポンプ装置間で、下流側のマンホールポンプ装置の第２停止水位と起動水位との間の貯水容量が、上流側のマンホールポンプ装置の第２停止水位と起動水位との間の貯水容量以下となるように、下流側のマンホールポンプ装置の第２停止水位が設定されている点にある。
【００１５】
第２停止水位が停止水位に設定された場合に、上流側のマンホールポンプ装置の第２停止水位と起動水位との間の貯水容量が上流側のポンプにより一度に下流側のマンホールポンプ装置に流入する水量となる。そのような場合に、当該水量よりも下流側のマンホールポンプ装置の第２停止水位と起動水位との間の貯水容量が同等以下となるように流側のマンホールポンプ装置の第２停止水位が設定されていれば、下流側のマンホールポンプほど単位送水量当たりの消費電力量の低い領域で運転することができるようになる。例えば、隣接配置されたマンホールポンプ装置の各貯水槽の断面積が同一であれば、下流側のマンホールポンプ装置の第２停止水位を、上流側のマンホールポンプ装置の第２停止水位と同等かそれ以上の高位に設定すればよい。
【００１６】
同第四の特徴構成は、同請求項４に記載した通り、上述の第一から第三の何れかの特徴構成に加えて、各ポンプ制御装置は、ポンプの起動頻度が予め設定された起動頻度よりも高くなると、前記第２停止水位を低位に変更設定するように構成されている点にある。
【００１７】
ポンプの所定時間当たりの起動頻度によっては、固定された値の第２停止水位で運転を続けることが困難となる場合が生じるが、その時に設定される第２停止水位が第１停止水位を基準にして指標に基づいて第１停止水位側に可変設定されると、より柔軟に電力消費量を低減することが可能になる。
【００１８】
同第五の特徴構成は、同請求項５に記載した通り、上述の第一から第四の何れかの特徴構成に加えて、汚水の搬送経路に沿って下流側に設置されたマンホールポンプ装置のポンプ制御装置は、前記貯水槽の水位が起動水位になると上流側のマンホールポンプ装置のポンプ制御装置に起動指令を出力し、上流側のマンホールポンプ装置のポンプが起動されたことを確認した後にポンプを起動するように構成されている点にある。
【００１９】
下流側のマンホールポンプ装置の貯水槽の水位が起動水位になると、ポンプを起動する前に上流側のマンホールポンプ装置のポンプ制御装置に起動指令を出力し、上流側のマンホールポンプ装置から汚水が流入するのを待ってポンプを起動することにより、単位送水量当たりの消費電力量の低い領域での運転時間を稼ぐことができるようになる。
【００２０】
同第六の特徴構成は、同請求項６に記載した通り、上述の第五の特徴構成に加えて、汚水の搬送経路に沿って下流側に設置されたマンホールポンプ装置のポンプ制御装置は、上流側のマンホールポンプ装置のポンプ制御装置に起動指令を出力した後、所定時間が経過すると上流側のマンホールポンプ装置のポンプの起動を確認することなくポンプを起動するように構成されている点にある。
【００２１】
上流側のマンホールポンプ装置からの汚水の流入を待つ間に、下流側のマンホールポンプ装置の貯水槽の水位が上昇すると汚水が溢流する虞がある。上流側のマンホールポンプ装置のポンプ制御装置に起動指令を出力した後、所定時間が経過するとポンプを起動することで、そのような事態を回避することができる。
【００２２】
同第七の特徴構成は、同請求項７に記載した通り、上述の第一から第四の何れかの特徴構成に加えて、汚水の搬送経路に沿って下流側に設置されたマンホールポンプ装置のポンプ制御装置は、前記貯水槽の水位が起動水位になると所定時間が経過した後にポンプを起動するように構成されている。
【００２３】
貯水槽の水位が起動水位になっても汚水が貯水槽から直ちに溢流する異常高水位になるようなことはなく、通常はある程度の余裕がある。そこで、貯水槽の水位が起動水位になっても所定時間待機した後にポンプを起動することにより、単位送水量当たりの消費電力量の低い領域での運転時間を稼ぐことができるようになる。
【００２４】
同第八の特徴構成は、同請求項８に記載した通り、上述の第一から第七の何れかの特徴構成に加えて、前記ポンプ制御装置は、貯水槽の水位が起動水位になり、前記指標に基づいて前記停止水位を前記第２停止水位に設定されていても所定の条件を満たすと、前記指標にかかわらず前記停止水位を前記第１停止水位に設定するスカム排出制御を実行するように構成されている点にある。
【００２５】
停止水位を第１停止水位よりも起動水位側の第２停止水位に設定された状態で運転が継続されると、貯水槽に継続的に汚水が滞留してスカムが発生し成長し、悪臭の発生や送水管の詰りなど貯水槽の環境を悪化させる虞がある。そのような場合に備えて、指標に基づいて停止水位を第２停止水位に設定されていても強制的に第１停止水位に設定することにより汚水とともにスカムが下流側に搬送され、環境の悪化を防止することができる。
【００２６】
同第九の特徴構成は、同請求項９に記載した通り、上述の第八の特徴構成に加えて、前記所定の条件が時刻情報であり、汚水の搬送経路に沿って下流側のマンホールポンプ装置ほど遅い時刻に設定されている点にある。
【００２７】
指標に基づいて停止水位を第２停止水位に設定されていても所定時刻になると強制的に第１停止水位に設定することで、汚水とともにスカムが下流側に搬送される。所定時刻が下流側のマンホールポンプ装置ほど遅い時刻に設定されることにより、汚水搬送経路に沿って上流側から下流側にスカムが滞ることなく搬送されるようになる。
【００２８】
同第十の特徴構成は、同請求項１０に記載した通り、上述の第八の特徴構成に加えて、前記所定の条件が上流側のマンホールポンプ設備のポンプ制御装置から送信されるスカム排出指令の確認である点にある。
【００２９】
上流側のマンホールポンプ設備のポンプ制御装置からスカム排出指令を受信した下流側のマンホールポンプ設備のポンプ制御装置が停止水位を第１停止水位に設定するスカム排出制御を実行する上流側から下流側の順にスカム排出制御が実行され、汚水搬送経路に沿って上流側から下流側にスカムが滞ることなく搬送されるようになる。
【発明の効果】
【００３０】
以上説明した通り、本発明によれば、ポンプ設備の容量を有効に利用して、ポンプの起動、停止を制御して運転することにより消費電力量を効果的に抑制することが可能なマンホールポンプシステムを提供することができるようになった。
【図面の簡単な説明】
【００３１】
【図１】本発明が適用されるマンホールポンプシステムの説明図
【図２】本発明に用いられるマンホールポンプ装置の説明図
【図３】ポンプ制御装置の説明図
【図４】ポンプ運転方法を示すフローチャート
【図５】シミュレーション結果の説明図
【発明を実施するための最良の形態】
【００３２】
以下に、本発明によるマンホールポンプシステムと当該マンホールポンプシステムに組み込まれるポンプ制御装置並びにポンプ運転方法を説明する。
【００３３】
図１及び図２に示すように、地中に埋設された汚水配管に沿って所定の間隔で配置された複数台のマンホールポンプ装置１０（１０−１〜１０−ｎ）により本発明によるマンホールポンプシステム１００が構成されている。ｎは設備数であり、十数施設から数十施設で一つのグループが構成されている。そして、汚水処理場に向けて配される汚水配管の経路に沿って複数のグループが構築されている。
【００３４】
各マンホールポンプ装置１０は、流入管１２から流入した汚水を貯留する貯水槽としてのマンホール１１と、マンホール１１に貯留された汚水を立上り配管１３を介して流出管１４に圧送する２台の水中ポンプ２０と、マンホール１１に貯留された汚水の水位を計測する水位センサ１５を備えている。
【００３５】
水位センサ１５として投込圧力式や気泡式の水位センサが用いられ、マンホール１１の底部に設置されて、マンホール１１に貯留される汚水の水位を連続的に検出するように構成されている。更に、水位センサ１５の故障に備えてバックアップ用のフロート式の水位センサ１６が異常高水位となる高さに設置され、水位センサ１５及び水位センサ１６で異常高水位ＨＨＷＬを検出するように構成されている。尚、水位センサとして浮子式の水位センサを用いて、所定の水位となる毎に水位を検知する等、その他公知の水位センサによって水位を計測するように構成してもよい。
【００３６】
各マンホールポンプ装置１０の地上近傍には水中ポンプ２０の起動・停止を制御する制御装置５１を備えた制御盤５０が設けられている。制御装置５１と水中ポンプ２０の間に水中ポンプ２０に組み込まれた電動機３０に給電するための給電線５７が配線され、制御装置５１と水位センサ１５の間に、水位検知信号線５８が配線されている。
【００３７】
図３に示すように、制御装置５１には、制御部として機能するマイクロコンピュータ５２（以下、「制御部５２」とも記す。）と、マイクロコンピュータ５２で実行される制御プログラムが格納されるとともにワーキング領域として利用されるメモリ５３と、マイクロコンピュータ５２により制御されるポンプ駆動回路５４が設けられている。
【００３８】
さらに、マイクロコンピュータ５２から出力されるモニタ信号を入力してマンホールポンプ装置１０の状態を外部の遠隔管理装置５６や他のマンホールポンプ装置１０にＷｉ-Ｆｉや携帯電話回線網を介してインターネット接続可能な通信部５５等を備えている。
【００３９】
具体的には、制御部５２で把握されるポンプの起動時刻や１日の起動回数、異常高水位の発生の有無、さらにはポンプに備えたセンサで検知される異常加熱のような異常状態に関する情報、さらには以下に示すポンプ起動水位やポンプ停止水位の設定情報及びその時刻情報等が通信部５５を介して遠隔管理装置５６に送信される。
【００４０】
制御部５２は、水位センサ１５により計測された水位に基づいてポンプ駆動回路５４を制御して水中ポンプ２０の電動機３０を起動制御する。例えば、ポンプ駆動回路５４がインバータ回路で構成される場合には、電動機３０の回転数が制御され、ポンプ駆動回路５３が給電用のリレー回路で構成される場合には、電動機３０への給電状態が制御される。
【００４１】
制御部５２は、水位センサ１５により貯水量がポンプ起動水位ＨＷＬになったと検知されると電動機３０を起動（以下、「水中ポンプを起動」とも記す。）して水中ポンプ２０による汚水の下流側への圧送を開始し、ポンプ停止水位ＬＷＬが計測されると、所定時間経過後、つまり、停止水位ＬＷＬから吸込口２４近傍までの水位に相当する水量を圧送するのに要する時間の経過後に電動機３０を停止して水中ポンプ２０による汚水の排出を停止する。
【００４２】
図２に示すように、制御部５２は、停止水位ＬＷＬとして、マンホール設備の有効貯留水深下端水位に設定された第１停止水位ＬＷＬ１と第１停止水位ＬＷＬ１を基準にして起動水位ＨＷＬ側、つまり高水位側に設定された第２停止水位ＬＷＬ２が設定可能に構成され、マンホール１１に対する所定時間当たりの流入水量または流出水量を指標にして、第１停止水位ＬＷＬ１と第２停止水位ＬＷＬ２の何れか一方を停止水位ＬＷＬに設定するように構成されている。
【００４３】
さらに、制御部５２は、起動水位ＨＷＬとして、第１起動水位ＨＷＬ１と第１起動水位ＨＷＬ１を基準にして停止水位ＬＷＬとは反対側、つまり高水位側に設定された第２起動水位ＨＷＬ２が設定可能に構成され、前記指標に基づいて、第１起動水位ＨＷＬ１と第２起動水位ＨＷＬ２の何れか一方を起動水位ＨＷＬに設定するように構成されている。
【００４４】
例えば、マンホール１１に対する所定時間当たりの流入水量または流出水量が多い場合には、第１停止水位ＬＷＬ１を停止水位ＬＷＬに設定して水中ポンプ２０を駆動することにより、頻繁なポンプ起動を回避することができ、マンホール１１に対する所定時間当たりの流入水量または流出水量が少ない場合には、第１停止水位ＬＷＬ１を基準にして起動水位ＨＷＬ側に設定された第２停止水位ＬＷＬ２を停止水位ＬＷＬに設定して水中ポンプ２０を駆動する。後者の制御によって、単位送水量当たりの消費電力量の高い領域での運転を回避して消費電力量を抑制することができるようになる。
【００４５】
起動水位ＨＷＬとして、上述した第１起動水位ＨＷＬ１と、第１起動水位ＨＷＬ１を基準にして停止水位ＬＷＬとは反対側に設定された第２起動水位ＨＷＬ２とを切替可能に構成することにより、さらに単位送水量当たりの消費電力量の低い領域での運転が可能になり、さらに効果的に電力消費量を低減することが可能になる。尚、少なくとも、停止水位が切替可能に構成されていればよい。
【００４６】
停止水位ＬＷＬや起動水位ＨＷＬを設定するための指標は、マンホール１１に対する所定時間当たりの流入水量であり、所定時間当たりの流入水量が多い場合には、頻繁なポンプの起動停止を回避すべく第１停止水位ＬＷＬ１に停止水位ＬＷＬが設定され、溢流を回避すべく第１起動水位ＨＷＬ１に起動水位ＨＷＬが設定される。
【００４７】
逆に、所定時間当たりの流入水量が少ない場合には、揚程が大きく低水位の領域、即ち単位送水量当たりの消費電力量が高くなる領域での運転を回避すべく、単位送水量当たりの消費電力量の低い第２停止水位ＬＷＬ２に停止水位ＬＷＬが設定され、第２起動水位ＨＷＬ１に起動水位ＨＷＬが設定される。
【００４８】
所定時間当たりの流入水量の多少は、水中ポンプ２０の停止時に水位計１５で計測される直近の水位の上昇速度に基づいて判断することができ、精度を上げるために所定時間内の平均水位の上昇速度に基づいて判断することができ、水中ポンプ２０の直近の運転時間を加味して、指標を算出するようにしてもよい。
【００４９】
後者の場合、起動水位ＨＷＬから停止水位ＬＷＬに到るまでの水中ポンプ２０の運転時間が長いと、所定時間当たりの流入水量が多いと判断でき、起動水位ＨＷＬから停止水位ＬＷＬに到るまでの水中ポンプ２０の運転時間が短いと、所定時間当たりの流入水量が少ないと判断できる。
【００５０】
直近の水位変動またはポンプの直近の運転時間をモニタすることにより、その時点のポンプによる必要送水量が分かるので、そのような情報に基づいて状況を学習して適切な停止水位に設定することで、その時に必要な所定の送水量を維持しながらも電力消費量を低減可能な運転が可能になる。
【００５１】
さらに、マンホール１１に対する単位水量の流出に必要な電力量に基づいて、所定時間当たりの流入水量の具体的な数値を算出し、指標とすることが好ましい。このような指標を設定することで、さらに単位水量の流出に必要な電力量が低くなる領域でポンプが運転されるようになる。
【００５２】
さらに、予め設定された日時情報を加味して指標が算出されるように構成してもよい。例えば、住宅地であれば朝方や夕刻に水の使用量が増し、工場地帯であれば昼間に水の資料量が増す、というように一日の時間帯により、或いは１週間の曜日（平日か週末か）により特徴的なパターンが見られる。そのような特徴的なパターンを加味して指標が算出されると、より現実に即した電力消費量の低減が可能になる。
【００５３】
このような日時情報は地域毎に異なるため、個々の日時情報が遠隔管理装置５６から無線で各マンホールポンプ装置１０の通信部５５に送信され、メモリ５３に格納されるように構成されることが好ましい。
【００５４】
第２停止水位ＬＷＬ２及び／または第２起動水位ＨＷＬ２が、指標に基づいて可変設定可能に構成されていることが好ましく、流入水量の変動に柔軟に対応して電力消費量を一層低減することが可能になる。例えば、所定時間当たりの流入水量がきわめて少ない場合には、第２停止水位ＬＷＬ２及び／または第２起動水位ＨＷＬ２をより上方に設定することで、さらなる消費電力量の低減化を図ることができる。
【００５５】
さらに、第１停止水位ＬＷＬ１がマンホール設備の有効貯留水深下端水位以下に設定され、第２停止水位ＬＷＬ２が停止水位ＬＷＬに設定された状態で水中ポンプ２０が所定回数運転され及び／または所定時間経過すると、少なくとも一度は第１停止水位ＬＷＬ１を停止水位ＬＷＬに設定して水中ポンプ２０を運転するように構成されていることが好ましい。
【００５６】
マンホールポンプ装置１０では、貯水槽への流入水に混入する厨芥や油脂等の有機物が水面に浮遊して膜状に形成されるスカムが発生し、これにより内部に異臭が発生する。そのような場合でも、第１停止水位ＬＷＬ１がマンホール設備の有効貯留水深下端水位以下に設定され、それより上方の第２停止水位ＬＷＬ２が停止水位に設定された状態でポンプが所定回数運転され及び／または所定時間経過したときに、停止水位ＬＷＬを第１停止水位ＬＷＬ１に設定してポンプを運転すると、マンホール１１に蓄積されたスカムが水中ポンプ２０により排水されて、マンホール１１内の浄化が行なわれるようになる。
【００５７】
また、予め設定された水中ポンプ２０の最小起動時間間隔を満たすように起動水位ＨＷＬと第２停止水位ＬＷＬ２が設定されていることが好ましい。
【００５８】
ポンプの起動時間間隔が短い場合には、頻繁な起動による消費電力量の上昇と、ポンプの電動機の発熱をもたらし、電動機、つまりポンプの寿命を損なう虞がある。しかし、起動水位と第２停止水位を適切に設定することにより、予め設定されたポンプの最小起動時間間隔を満たすことができ、上述した不都合な事態の発生を回避できるようになる。
【００５９】
図５に示すように、ポンプは、使用する範囲において単位時間あたりの吐出量が増加するにつれて単位水量を吐出するのに必要な電力量が低下する特性を示すポンプである必要がある。
【００６０】
図４に示すフローチャートに基づいて、図５に類似する特性を持つポンプの制御部５２で実行されるポンプ運転方法を説明する。
制御部５２は、メモリ５３から指標を読み出して（Ｓ１）、その値が予め設定された閾値より低い場合、つまり単位時間当たりの流入量が少ないと判断すると（Ｓ２）、起動水位をＨＷＬ２、停止水位をＬＷＬ２に設定し（Ｓ３）、単位時間当たりの流入量が多いと判断すると（Ｓ２）、起動水位をＨＷＬ１、停止水位をＬＷＬ１に設定する（Ｓ１１）。
【００６１】
起動水位がＨＷＬ２、停止水位がＬＷＬ２に設定され（Ｓ３）、マンホール１１の水位が起動水位ＨＷＬ２以上になると（Ｓ４）、ポンプを起動するとともにポンプ起動カウンタをインクリメントする（Ｓ５）。ポンプ起動カウンタの値は初期に０に設定され、起動される度に１加算される。
【００６２】
ポンプ起動カウンタの値が予め設定された閾値Ｎ（本実施形態では、Ｎ＝６）未満であると（Ｓ６）、停止水位ＬＷＬ２を基準に水位が低下するまで駆動され（Ｓ８）、閾値Ｎになると停止水位ＬＷＬ１を基準に水位が低下するまで駆動され、水位が停止水位ＬＷＬ１以下になると（Ｓ７）、ポンプ起動カウンタの値が０にリセットされて（Ｓ９）、所定時間経過後に水中ポンプ２０が停止される（Ｓ１０）。
【００６３】
つまり、ポンプ起動カウンタの値がＮ＝６になるまでは水位が停止水位ＬＷＬ２になるとポンプが停止され、ポンプ起動カウンタの値がＮ＝６になると水位が停止水位ＬＷＬ１になるとポンプが停止される。これにより、マンホール１１に蓄積されたスカムが破砕されて下流側に汚水とともに圧送される。
【００６４】
ステップＳ１１で起動水位がＨＷＬ１、停止水位がＬＷＬ１に設定されると、マンホール１１の水位が起動水位ＨＷＬ１以上になると（Ｓ１２）、ポンプを起動して（Ｓ１３）、水位が停止水位ＬＷＬ１以下になると（Ｓ１４）、所定時間経過後に水中ポンプ２０が停止される（Ｓ１５）。
【００６５】
即ち、本発明によるマンホールポンプシステム１００は、水位計１５で検出された貯水槽の水位が起動水位ＨＷＬになるとポンプを起動し、その後停止水位ＬＷＬになるとポンプ２０を停止するポンプ制御装置５１を備えた複数のマンホールポンプ装置１０により汚水を下水処理施設に搬送するマンホールポンプシステムであって、各ポンプ制御装置５２は、停止水位ＬＷＬとして、第１停止水位ＬＷＬ１と、ポンプ２０の単位送水量当たりの消費電力量に基づいて第１停止水位ＬＷＬ１を基準にして起動水位ＨＷＬ側に設定された第２停止水位ＬＷＬ２が設定可能に構成され、貯水槽に対する所定時間当たりの流入水量または流出水量を指標にして、第１停止水位ＬＷＬ１と第２停止水位ＬＷＬ２の何れか一方を停止水位ＬＷＬに設定するように構成されている。
【００６６】
そして、各ポンプ制御装置５２は、水位計１５により計測された直近の水位変動に基づいて、またはポンプ２０の直近の運転時間に基づいて、第２停止水位ＬＷＬ２を設定するように構成されている。
【００６７】
マンホールポンプシステム１００では、汚水を下水処理施設に搬送する経路に沿って配された各マンホールへの流入水量または流出水量の増減には相関があり、上流側のマンホールポンプ装置１０で生じる汚水の増減傾向が下流側のマンホールポンプ装置１０に伝達されるようになる。
【００６８】
そのため、各貯水槽に対する所定時間当たりの流入水量または流出水量が少ない場合には、マンホールポンプシステム１００を構成する複数のマンホールポンプ装置１０がともに第１停止水位ＬＷＬ１を基準にして起動水位側に設定された第２停止水位ＬＷＬ２を停止水位ＬＷＬに設定して各ポンプ２０を駆動することにより、単位送水量当たりの消費電力量の低い領域で運転することができる。
【００６９】
同様に、各貯水槽に対する所定時間当たりの流入水量または流出水量が少ない場合には、マンホールポンプシステム１００を構成する複数のマンホールポンプ装置１０がともに第２起動水位ＨＷＬ２を停止水位ＨＷＬに設定して各ポンプ２０を駆動することにより、単位送水量当たりの消費電力量の低い領域で運転することができる。このようにしてシステム全体として消費電力を効果的に抑制することができるようになる。
【００７０】
また、各貯水槽に対する所定時間当たりの流入水量または流出水量が多い場合には、マンホールポンプシステム１００を構成する複数のマンホールポンプ装置１０がともに第１停止水位ＬＷＬ１を停止水位ＬＷＬに設定するとともに、第１起動水位ＨＷＬ１を起動水位ＨＷＬに設定して各ポンプ２０を駆動することにより、頻繁なポンプ起動の発生によるポンプの過熱異常の発生を回避することができる。
【００７１】
隣接するマンホール装置１０間で貯水槽の容量が等しい場合、つまり貯水槽の断面積が等しい場合には、下流側のマンホールポンプ装置の第２停止水位ＬＷＬ２が、上流側のマンホールポンプ装置の第２停止水位ＬＷＬ２以上となるように設定されていることが好ましく、下流側のマンホールポンプほど単位送水量当たりの消費電力量の低い領域で運転することができるようになる。
【００７２】
通常、汚水搬送経路に沿って配されたマンホールポンプ装置１０の貯水槽の容量は最上流側と比較して最下流側が多くなるように設定されるが、隣接するマンホール装置間で貯水槽の容量が異なる場合でも同様であり、汚水の搬送経路に沿って隣接配置されたマンホールポンプ装置１０間で、下流側のマンホールポンプ装置１０の第２停止水位ＬＷＬ２と起動水位ＨＷＬとの間の貯水容量が、上流側のマンホールポンプ装置１０の第２停止水位ＬＷＬ２と起動水位ＨＷＬとの間の貯水容量以下となるように、下流側のマンホールポンプ装置の第２停止水位ＬＷＬ２が設定されていることが好ましい。
【００７３】
また、各ポンプ制御装置１０の制御部５２は、ポンプ２０の起動頻度が予め設定された起動頻度よりも高くなると、第２停止水位ＬＷＬ２を低位に、つまり第１停止水位ＬＷＬ１側に変更設定するように構成されていることが好ましい。
【００７４】
ポンプの所定時間当たりの起動頻度によっては、固定された値の第２停止水位で運転を続けることが困難となる場合が生じるが、その時に設定される第２停止水位が第１停止水位を基準にして指標に基づいて第１停止水位側に可変設定されると、より柔軟に電力消費量を低減することが可能になる。
【００７５】
以下に、マンホールポンプシステム１００の別実施形態を説明する。
汚水の搬送経路に沿って下流側に設置されたマンホールポンプ装置１０のポンプ制御装置５１（５２）は、貯水槽の水位が起動水位ＨＷＬになると上流側のマンホールポンプ装置１０のポンプ制御装置５１（５２）に起動指令を出力し、上流側のマンホールポンプ装置１０のポンプ２０が起動されたことを確認した後にポンプを起動するように構成されていてもよい。
【００７６】
例えば、上流側と下流側の各マンホールポンプ装置１０の通信部５５間で相互に交信するように構成すればよい。あるいは、上流側と下流側の各マンホールポンプ装置１０が遠隔管理装置５６を介して交信してもよい。この場合、例えば遠隔管理装置５６が、下流側のマンホールポンプ装置１０の起動水位ＨＷＬの信号を受け取ると上流側のマンホールポンプ装置１０に起動指令を出力し、その後上流側のマンホールポンプ装置１０のポンプ２０の起動信号を受け取ると下流側のマンホールポンプ装置１０に起動確認信号を送信するように構成すればよい。
【００７７】
なお、以上の説明では、通信部５５がＷｉ-Ｆｉや携帯電話回線網を介してインターネット接続可能な通信部５５である例を説明したが、小電力無線機器などの他の無線通信機器で通信部５５が構成されていてもよい。上流側と下流側の各マンホールポンプ装置１０とは汚水搬送経路に沿って隣接する二つのマンホールポンプ装置１０をいう。
【００７８】
このように構成すれば、下流側のマンホールポンプ装置１０の貯水槽の水位が起動水位ＨＷＬになると、ポンプ２０を起動する前に上流側のマンホールポンプ装置１０のポンプ制御装置５１（５２）に起動指令を出力し、上流側のマンホールポンプ装置１０から汚水が流入するのを待ってポンプを起動することにより、単位送水量当たりの消費電力量の低い領域での運転時間を稼ぐことができるようになる。
【００７９】
また、汚水の搬送経路に沿って下流側に設置されたマンホールポンプ装置１０のポンプ制御装置５１（５２）は、上流側のマンホールポンプ装置１０のポンプ制御装置５１（５２）に起動指令を出力した後、所定時間が経過すると上流側のマンホールポンプ装置１０のポンプ制御装置５１（５２）からの起動した旨の応答を確認することなく、自らのポンプ２０を起動するように構成してもよい。
【００８０】
上流側のマンホールポンプ装置１０からの汚水の流入を待つ間に、下流側のマンホールポンプ装置１０の貯水槽の水位が上昇すると汚水が溢流する虞がある。上流側のマンホールポンプ装置１０のポンプ制御装置５１（５２）に起動指令を出力した後、所定時間が経過するとポンプを起動することで、貯水槽の水位が異常高水位ＨＨＷＬに到るまでに下流側に送水することができる。この様な構成でも、単位送水量当たりの消費電力量の低い領域での運転時間を稼ぐことができるようになる。
【００８１】
また、汚水の搬送経路に沿って下流側に設置されたマンホールポンプ装置１０のポンプ制御装置５１（５２）は、貯水槽の水位が起動水位ＨＷＬになると、上流側のマンホールポンプ装置１０のポンプ制御装置５１（５２）に起動指令を出力することなく、所定時間が経過した後にポンプを起動するように構成されていてもよい。
【００８２】
貯水槽の水位が起動水位ＨＷＬになっても汚水が貯水槽から直ちに溢流する異常高水位ＨＨＷＬになるようなことはなく、通常はある程度の余裕がある。そこで、貯水槽の水位が起動水位になっても所定時間待機した後にポンプを起動することにより、単位送水量当たりの消費電力量の低い領域での運転時間を稼ぐことができるようになる。
【００８３】
ところで、停止水位を第１停止水位ＬＷＬ１よりも起動水位ＨＷＬ側の第２停止水位ＬＷＬ２に設定された状態で運転が継続されると、貯水槽に継続的に汚水が滞留してスカムが発生し成長し、悪臭の発生や送水管の詰りなど貯水槽の環境を悪化させる虞がある。そのような場合に備えて、指標（所定時間当たりの流入水量または流出水量）に基づいて停止水位を第２停止水位に設定されていても強制的に第１停止水位に設定することにより汚水とともにスカムが下流側に搬送され、環境の悪化を防止することができる。
【００８４】
具体的に、ポンプ制御装置５１（５２）は、貯水槽の水位が起動水位ＨＷＬになり、上述した指標に基づいて停止水位を第２停止水位ＬＷＬ２に設定されていても所定の条件を満たすと、指標にかかわらず停止水位を第１停止水位ＬＷＬ１に設定するスカム排出制御を実行するように構成されていればよい。
【００８５】
所定の条件を時刻情報とし、汚水の搬送経路に沿って下流側のマンホールポンプ装置ほど遅い時刻に設定するように構成すればよい。指標に基づいて停止水位を第２停止水位に設定されていても所定時刻になると強制的に第１停止水位に設定することで、汚水とともにスカムが下流側に搬送される。所定時刻が下流側のマンホールポンプ装置ほど遅い時刻に設定されることにより、汚水搬送経路に沿って上流側から下流側にスカムが滞ることなく搬送されるようになる。
【００８６】
また、所定の条件を上流側のマンホールポンプ設備のポンプ制御装置から送信されるスカム排出指令の確認としてもよい。上流側のマンホールポンプ設備のポンプ制御装置からスカム排出指令を受信した下流側のマンホールポンプ設備のポンプ制御装置が停止水位を第１停止水位に設定するスカム排出制御を実行する上流側から下流側の順にスカム排出制御が実行され、汚水搬送経路に沿って上流側から下流側にスカムが滞ることなく搬送されるようになる。
【００８７】
スカム排出指令は、上流側と下流側の各マンホールポンプ装置１０の通信部５５間で相互に交信するように構成してもよいし、上流側と下流側の各マンホールポンプ装置１０が遠隔管理装置５６を介して交信するように構成してもよい。
【００８８】
第１停止水位がマンホール設備の有効貯留水深下端水位以下に設定されているとスカム排出運転時に効果的にスカムが排出されるようになる。
【実施例】
【００８９】
図５に基づいて、ポンプの消費電力のシミュレーション結果を説明する。
図５にはマンホールポンプの全揚程、効率、軸動力の各特性線が示されている。全揚程９ｍから４ｍの範囲を１ｍ間隔で区間ＡからＥの５区間に区分し、各区間の揚程の中央値を平均揚程とし、その平均揚程に対する吐出し量及び軸動力を表に抽出した。そして、そのときの１ｍ吐出電力量（単位送水量当たりの消費電力量）を算出した。
【００９０】
ここで、１ｍ吐出電力量とは、同じ断面の水槽を想定し、高さ１ｍ分を吐き出すのに消費する電力量のことである。同じ断面積の水槽なので高さ１ｍ分吐き出す水量は常に同じ量となる。
【００９１】
例えば、揚程１０ｍ分を吐出すとき、区間Ｂ，Ａ（揚程２ｍ）で運転するように設定されている場合、Ｂ，Ａ区間を５回運転すると、（２．５８＋３．３６）×５＝２９．７ｋＷｍｉｎ＝０．４９５ｋＷｈ（１００％）の電力量を要することになる。
【００９２】
区間Ｂ（揚程１ｍ）のみ１０回運転すると、２．５８×１０＝２５．８ｋＷｍｉｎ＝０．４３ｋＷｈ（８６．９％）となり、消費電力量の低減化が達成できることが分かる。
【００９３】
区間Ｂ（揚程１ｍ）のみ８回運転し、その後区間Ａ，Ｂ（揚程２ｍ）を１回運転すると、２．５８×９＋３．３６＝２６．５８ｋＷｍｉｎ＝０．４４３ｋＷｈ（８９．５％）と、低消費電力化を達成しつつ区間Ｂ，Ａの運転によってスカムの除去が可能になる。
【００９４】
区間Ｅ，Ｄに対しても同様のシミュレーションで低消費電力化が達成できることが分かる。
【００９５】
例えば、揚程１５ｍ分を吐出すとき、区間Ｃ，Ｂ，Ａで運転するように設定されている場合、Ｃ，Ｂ，Ａ区間（揚程３ｍ）を５回運転すると、（２．０９＋２．５８＋３．３６）×５＝４０．１５ｋＷｍｉｎ＝０．６６９ｋＷｈ（１００％）に対して、毎回区間Ｃ（揚程１ｍ）を運転すると、２．０９×１５＝３１．３５ｋＷｍｉｎ＝０．５２３ｋＷｈ（７８．２％）となり、消費電力量の低減化が達成できることが分かる。
【００９６】
スカム除去のため、区間Ｃ（揚程１ｍ）を１２回運転し、区間Ｃ，Ｂ，Ａ（揚程３ｍ）を１回運転すると、２．０９×１３＋２．５８＋３．３６＝３３．１１ｋＷｍｉｎ＝０．５５２ｋＷｈ（８２．５％）となり、スカムの除去を可能にしつつも消費電力量の低減化が達成できることが分かる。
【００９７】
他の区間、例えば区間Ｅ，Ｄ，Ｃで運転するような場合にも同様の演算を行なうことにより同様の結果が得らえることが明らかになった。
【００９８】
以下、別実施形態を説明する。
上述した実施形態では、貯水槽に対する所定時間当たりの流入水量または流出水量を指標にして、第１停止水位と第２停止水位の何れか一方を停止水位に設定する態様を説明したが、停止水位を設定する指標として、ポンプの所定時間当たりの起動頻度を用いるものであってもよい。
【００９９】
例えば、マンホールポンプ施設技術マニュアルを参照すると、７．５ｋＷのポンプの最小起動間隔は６分に定められている。マンホールポンプ装置にこの様な２台のポンプが設けられ、２台のポンプを交互運転する場合を想定すると、２台のポンプに対して見掛け上は３分の最小起動間隔となる。
【０１００】
このようなマンホールポンプ装置において、停止水位を第１停止水位と第２停止水位の何れかに切り替える方法の一つとして、起動水位に達した時に、前回停止水位で停止した時からの経過時間（ポンプの所定時間当たりの起動頻度の一例）を確認して、当該経過時間に基づいて停止水位を決定するように構成してもよい。
【０１０１】
ポンプ設計では槽内への最大流入量を考慮して最小起動間隔を確保しているので、流入水量が通常であれば起動間隔は最小起動間隔より長くなる。そこで、施工初期の段階では停止水位の初期値として第２停止水位を採用し、ポンプを停止した時から起動水位に達した時間が３分以内であれば、停止水位を第１停止水位に切り替え、３分以上であれば停止水位を第２停止水位に維持するように構成すればよい。
【０１０２】
第２停止水位での排出容量（起動水位から第２停止水位までの貯留容量）が、第１停止水位での排出容量（起動水位から第１停止水位の貯留容量）の１／２程度の場合、前回の停止水位が第１停止水位で、ポンプを停止した時から起動水位に達した時間が６分以上であれば停止水位を第２停止水位としても起動間隔は３分以上となることが予測されるので、停止水位を第２停止水位に切り替え、６分以内であれば停止水位を第１停止水位に維持するように構成すればよい。
【０１０３】
なお、１台のポンプが故障した状態で、正常なポンプのみの運転となる場合には、ポンプを停止した時から起動水位に達した時間の基準値を６分から倍の１２分にすればよい。また、２台のポンプの能力が異なる場合や故障等で運転時間にアンバランスが生じている場合は、当該号機の前回の運転からの時間として上記の基準値を倍にすればよい。
【０１０４】
このように、ポンプの所定時間当たりの起動頻度が少ない場合は、単位送水量当たりの消費電力量の低い領域で運転することにより消費電力を抑制することができるようになる。
【０１０５】
ポンプの所定時間当たりの起動頻度に基づいて停止水位を第１停止水位と第２停止水位の間で切り替える別の方法として、単位時間当たりの起動回数に応じて停止水位を決定する方法を採用してもよい。
【０１０６】
上述の例によるポンプ装置では最小起動間隔が３分なので、過去３０分の起動頻度が１０回に達すると停止水位を第１停止水位に設定し、１０回に満たない場合は停止水位を第２停止水位に設定するように構成すればよい。この場合、起動間隔が最小起動間隔を下回っている可能性も考慮して、停止水位を切り替える起動頻度回数は上記回数の半数程とすることが望ましい。
【０１０７】
上述した例では、第２停止水位と第１停止水位が固定水位に設定され、ポンプの所定時間当たりの起動頻度が閾値以上になると第１停止水位に設定し、起動頻度が閾値を下回ると第２停止水位に切り替える構成を説明したが、起動頻度に応じて第２停止水位を可変設定するように構成してもよい。
【０１０８】
起動頻度が閾値を下回った場合に、その程度が大きければ第２停止水位を起動水位側に設定し、その程度が小さければ第２停止水位を第１停止水位側に設定するのである。つまり、指標に基づいて第２停止水位が第１停止を基準にして起動水位側に可変設定可能に構成されていてもよい。
【０１０９】
上述の停止水位で停止した時からの経過時間を起動頻度にした例において、前回の停止水位が第１停止水位で、ポンプを停止した時から起動水位に達した時間が６分以上であれば、第２停止水位をより起動水位側に設定してもよい。例えば、排出容量が１／３や１／４となるところに第２停止水位を設定する場合は、第２停止水位に切り替える間隔を３倍の９分、４倍の１２分とすればよい。
【０１１０】
ポンプの所定時間当たりの起動頻度によっては、固定された値の第２停止水位で運転を続けることが困難となるが、その時に設定される第２停止水位が第１停止水位を基準にして指標に基づいて起動水位側に可変に設定される、つまり第１停止水位側に設定してもよい。例えば、起動水位に達した時間が６分以下である場合、例えば４分３０秒であれば、第１停止水位と第２停止水位の１／２となる位置を新たな第２停止水位と設定すればよい。なお、水位によって単位時間当たりの流量が変化するが、ここでは一律として記述している。
【０１１１】
このように、ポンプの所定時間当たりの起動頻度によって、その時に設定される第２停止水位起動水位側に可変に設定されると、より柔軟に電力消費量を低減することが可能になり、さらなる消費電力量の低減化を図ることができる。
【０１１２】
上述した実施形態では、ポンプとして、使用する範囲において単位時間あたりの吐出量が増加するにつれ単位水量を吐出するのに必要な電力量が低下する特性を示すポンプを例に本発明を説明したが、締切運転に近づくほど軸動力が上昇する軸流ポンプのようなポンプであっても、ポンプの単位送水量当たりの消費電力量が低い領域の停止水位と起動水位を選択して、有効貯留容量を排出または流入させるための停止水位と起動水位でポンプを運転する場合の運転回数よりも多くの運転回数を設定することで、消費電力量を抑制することができるようになる。
【０１１３】
以上説明した実施形態は本発明の一例に過ぎず、該記載により本発明の技術的範囲が限定されることを意図するものではなく、マンホールポンプ装置や制御装置の具体的な構成は本発明による作用効果を奏する範囲において適宜変更設計可能であることはいうまでもない。
【符号の説明】
【０１１４】
１０：マンホールポンプ装置
１２：流入管
１１：マンホール
１３：立上り配管
１４：流出管
１５，１６：水位センサ
２０：水中ポンプ
５０：制御盤
５１：制御装置
５２：制御部（マイクロコンピュータ）
５３：メモリ
５４：ポンプ駆動回路
５５：通信部
ＬＷＬ：停止水位
ＬＷＬ１：第１停止水位
ＬＷＬ２：第２停止水位
ＨＷＬ：起動水位
ＨＷＬ１：第１起動水位
ＨＷＬ２：第２起動水位
【図１】
2019113005.tif 000003
【図２】
2019113005.tif 000004
【図３】
2019113005.tif 000005
【図４】
2019113005.tif 000006
【図５】
2019113005.tif 000007